(57)【要約】【課題】腰椎起因とする腰痛及び仙腸関節部を起因とする腰痛のどちらにも対処できるコルセットを提供する。【解決手段】伸縮性を備えた幅広で長尺な部材の両端部を係止するように形成してあるコルセット１であって、コルセット本体部１０の中央１０ｃ下側に骨盤矯正用の骨盤ベルト部２０が一体に接合してある。考案のコルセット１は、コルセット本体部の下に骨盤ベルトが一体に接合してあるので、腰椎起因とする腰痛及び仙腸関節部を起因とする腰痛のどちらにも対処できるコルセットとして提供できる。また、両端部には係止部１３ａ，１３ｂが設けられており、この係止部内には形状維持用の中骨１４ａ，１４ｂが埋設されている構造とするのが好ましい。このようにすると使用時における変形を抑制することもできる。【選択図】    図１
0003118691.tif 000002
【実用新案登録請求の範囲】
【請求項１】
伸縮性を備えた幅広で長尺な部材の両端部を係止するように形成してあるコルセットであって、
コルセット本体部の中央下側に骨盤矯正用の骨盤ベルトが一体に接合してある、ことを特徴とするコルセット。
【請求項２】
前記両端部には係止部が設けられており、この係止部内には形状維持用の中骨が埋設されていることを特徴とする請求項１に記載のコルセット。
【考案の詳細な説明】
【技術分野】
【０００１】
本考案は、腰の周部に巻き付けるコルセットに関する。
【背景技術】
【０００２】
腰痛の治療や予防のため、患部の支持や固定或いは矯正などの目的で腰の周部に巻き付けるコルセットが従来から広く利用されている。このようなコルセットは、一般に弾性を備えた幅広で長尺な部材であり、両端部には係止するためのファスナが設けられている。このようなコルセットを腰の周部を締付けてファスナ面同士を任意の位置で係止する（留める）と、腰に一定の圧迫力を加えることができるので腰痛の改善や腰痛予防を図ることができる。
【０００３】
例えば、特許文献１は十分な圧迫力が得られるように改善したコルセット（腰痛ベルト）について開示している。このコルセットは、弾性体を二重に設けている。このように弾性体を二重に配置すれば締付け力を大きくできるので、必要なときに強い圧迫状態を形成してより確実に腰痛の軽減を図ることができる。
【０００４】
【特許文献１】実開昭６１−８００１３号公報
【考案の開示】
【考案が解決しようとする課題】
【０００５】
ところで、上記のようなコルセットは主に腹圧を高めて脊柱支持筋の補助をすることによって患部の安静、治療を図るものである。すなわち、腰椎を起因とする腰痛には、特許文献１で示すようなコルセットが有効である。しかしながら、腰痛の原因は他にも仙腸関節部を起因としたものがある。この仙腸関節部を起因とする腰痛の場合には、コルセットで押える腰よりも下側に位置する骨盤を固定しなければならない。この場合には、骨盤固定ベルトを用いて骨盤の歪み（ズレ）を矯正することが必要となる。上記のように、腰痛を発生させている原因に応じて、コルセットと骨盤固定ベルトとを使い分けることが本来的に望ましい。
【０００６】
しかし、腰痛となったときに、腰椎を起因とした腰痛であるのか、仙腸関節部を起因とした腰痛であるのかを判断することが困難である場合も多い。仙腸関節部を起因とする腰痛に対して、コルセットを用いると治癒までに時間を要してしまうという場合がある。また、コルセットと共に骨盤固定ベルトも用いるとすれば、装着が面倒であるだけでなく、費用が嵩むことになる。
【０００７】
本考案は、上記で指摘した従来の課題を解決するためになされたもので、腰椎起因とする腰痛及び仙腸関節部を起因とする腰痛のどちらにも対処できるコルセットを提供することを目的とするものである。
【課題を解決するための手段】
【０００８】
上記目的は、伸縮性を備えた幅広で長尺な部材の両端部を係止するように形成してあるコルセットであって、コルセット本体部の中央下側に骨盤矯正用の骨盤ベルトが一体に接合してあることを特徴とするコルセットにより達成できる。
【０００９】
本考案のコルセットは、コルセット本体部の下に骨盤ベルトが一体に接合してあるので、腰椎起因とする腰痛及び仙腸関節部を起因とする腰痛のどちらにも対処できるコルセットとして提供できる。そして、この一体型のコルセットであれば、骨盤ベルトを別に使用する場合と比較して装着が楽であり、製造コストを低く抑えることができる。
【００１０】
そして、前記両端部には係止部が設けられており、この係止部内には形状維持用の中骨が埋設されている構造とするのが好ましい。このようにすると使用時における変形を抑制することもできる。
【考案の効果】
【００１１】
本考案によると、腰椎起因とする腰痛及び仙腸関節部を起因とする腰痛のどちらにも対処できるコルセットを提供できる。よって、このコルセットを用いると患部がどちらであっても腰痛を確実に和らげることができる。
【考案を実施するための最良の形態】
【００１２】
以下、図面を参照して、本考案の一実施形態に係るコルセットについて説明する。
【００１３】
図１は、実施例のコルセット１を展開した状態にして示した表面図である。また、図２は同裏面図である。なお、ここでの表面とは使用者がコルセットを装着したときに表側となる面であり、裏面とは使用者の腰に装着される内側の面である。
【００１４】
本実施例のコルセット１は、コルセット本体の中央の下側に骨盤矯正用の骨盤ベルトを一体に接合した形態をなしている。すなわち、コルセット１は、コルセット本体部１０と骨盤ベルト部２０とを備えている。この両部１０、２０は、共に一定の伸縮性（弾性）を備えた幅広で長尺な部材を用いて形成されている。コルセット本体部１０の中央１０Ｃの下側に、骨盤ベルト部２０の中央２０Ｃが接合されている。より具体的には、コルセット本体部１０の外周には外周縁がバイアステープ１５により縁巻きされている。同様に、骨盤ベルト部２０の外周も外周縁がバイアステープ２５により縁巻きされている。これらバイアステープ１５、２５を縫合することにより、コルセット本体部１０と骨盤ベルト部２０とが一体化されている。
【００１５】
下側の骨盤ベルト部２０は、スパンデックス（ポリウレタン弾性繊維）などの弾性糸を用いて製織した幅広の弾性帯である。表面側（図１参照）の一端部に長めの雌ファスナ面２１が設けられ、裏面側（図２参照）の他端部にはこの雌ファスナ面２１に係止する雄ファスナ面２２が設けられている。雄ファスナ面２２を雌ファフナ面２１に係止させる位置により骨盤周辺への圧迫力を調整できる。
【００１６】
一方、コルセット本体部１０は、中央にメッシュ部１１、その両側それぞれに伸縮部１２ａ、１２ｂ、ファスナ部１３ａ，１３ｂが設けられている。メッシュ部１１は、ナイロンなどの非伸縮性の合成糸を網状に配置した構造を有している。メッシュ部１１は、通気性を確保したメッシュ状とすることにより使用者が汗をかいた場合にも発散し易い構造としてある。メッシュ部１１の両側には、伸縮部１２ａ、１２ｂが接合されている。伸縮部１２ａ、１２ｂはゴム糸などの弾性体を製織して伸縮自在に形成されている。この伸縮部１２ａ、１２ｂを引張ったときの反力に基づいて、コルセット本体部１０が腰部を圧迫する力が生じさせる。
【００１７】
伸縮部１２ａ、１２ｂそれぞれの両側には、係止部となるファスナ部１３ａ、１３ｂが接合されている。これらファスナ部１３ａ，１３ｂは、例えばフレンチパイルなどの肌触りのよい素材で形成されている。また、各ファスナ部１３ａ、１３ｂは袋状に形成されており、それぞれの内部に所定の弾性を備えた中骨１４ａ、１４ｂがコルセット本体部１０の長手方向に沿って埋設されている。
【００１８】
図２で示すように、ファスナ部１３ａの裏面側の端部には雄型のフックファスナ部材１６が固定されている。このフックファスナ部材１６をファスナ部１３ｂの表面（図１参照）に係止させる。ファスナ部１３ｂは、フレンチパネル等で形成されているので、これ自体が雌型ファスナとして機能する。よって、フックファスナ部材１６をファスナ部１３ｂの所望位置に係止させることができる。
【００１９】
さらに、コルセット本体部１０のメッシュ部１１には、一対のステイ３０ａ、３０ｂが固定されている。これらのステイ３０ａ、３０ｂは、本コルセット１を装着したときに使用者の背骨の両側を支持するために配置した短冊状部材である。ステイ３０ａ、３０ｂは軽くて所定の強度及び弾性を備えた弾性部材、例えばポリカーボネート板、変性ポリエチレン板などの樹脂板、アルミ板などを採用できる。ステイ３０ａ、３０ｂは、布材を袋状に形成した縫合部３１ａ、３１ｂに収納されており、この縫合部３１ａ、３１ｂを介してメッシュ部１１に縫着されている。
【００２０】
さらに、上記縫合部３１ａ、３１ｂの両端部には、圧迫力を増加させるための補助ベルト３２ａ，３２ｂが縫着されている。補助ベルトは幅広のゴム紐を折り返して二重にしてある。これらの端部には雄型のファスナ部材３３ａ、３３ｂが固定されている。各ファスナ部材３３ａ、３３ｂは雌型として機能するファスナ部１３ａ、１３ｂの表面に係止される。
【００２１】
以上の構成を備えた、本実施例のコルセット１は図２で示す裏面が使用者の腰に当たるようにしてセットされる。より詳細には、コルセット本体部１０を従来のコルセットの場合と同様に腰の周部に装着し、フックファスナ部材１６をファスナ部１３ｂの表面に係止させて所望の圧迫力を発生させる。このとき、コルセット本体部１０の下側に一体に縫着されている骨盤ベルト部２０は、使用者の骨盤に対応した位置にある。よって、骨盤ベルト部２０を骨盤の周辺に装着できる。骨盤ベルト部２０は、雄ファスナ面２２を雌ファフナ面２１に係止させることで所望の圧迫力を発生させることができる。よって、このコルセット１は腰椎起因とする腰痛及び仙腸関節部を起因とする腰痛のどちらにも対処できる。
【００２２】
ところで、本コルセット１が使用されたときには、ファスナ部１３ａ、１３ｂが使用者の腹部側を抑えることになる。腰痛を発症させる人には、肥満型の人も多く含まれる。肥満型の人がコルセットをすると、腰の周部を圧迫するのでその上下にぜい肉が押し出された状態となる。その結果、ファスナ部１３ａ、１３ｂにを上下から折畳むような力が作用する。このような力が作用すると、ファスナ部１３ａ、１３ｂの上部側及び下部側が外側に反り返って変形してしまう。しかし、本コルセット１の場合には、コルセット本体部１０の両端に設けたファスナ部１３ａ、１３ｂに前述したように弾性を備えた中骨１４ａ、１４ｂが埋設されている。この中骨１４ａ、１４ｂがファスナ部１３ａ、１３ｂの形状を一定に保持するように作用するので、上記の変形を抑制することもできる。
【００２３】
以上、本考案の好ましい一実施形態について詳述したが、本考案は係る特定の実施形態に限定されるものではなく、実用新案登録請求の範囲に記載された本考案の要旨の範囲内において、種々の変形・変更が可能である。
【図面の簡単な説明】
【００２４】
【図１】実施例のコルセットを展開した状態にして示した表面図である。
【図２】実施例のコルセットを展開した状態にして示した裏面図である。
【符号の説明】
【００２５】
１                              コルセット
１０                            コルセット本体部
１０Ｃ                          コルセット本体部の中央
１１                            メッシュ部
１２                            伸縮部
１３                            ファスナ部（係止部）
１４                            中骨
２０                            骨盤ベルト部
２０Ｃ                          骨盤ベルト部の中央
２１                            雌ファスナ面
２２                            雄ファスナ面
【図１】
0003118691.tif 000003
【図２】
0003118691.tif 000004